(57)【要約】      （修正有）【課題】印鑑の片面に太鼓を取り付けることにより印鑑を付加価値の高いものとすることができ、また太鼓を叩いて太鼓の音を出すことによっても楽しむことができるようにした新規の印鑑を提供する。【解決手段】木製印材をその一端から少なくとも約１／２以上を中空状とし、中空部分の開口端部に太鼓用皮革を鋲打ちによって張設した上、木製印材の他端には印面を形成したことを特徴とする印鑑。中実の木製印材をその一端から約１／２以上をくり抜いて中空状とし、良好な音質を得られるようにしたことを特徴とする印鑑。【選択図】図１
0003132122.tif 000002
【実用新案登録請求の範囲】
【請求項１】
木製印材をその一端から少なくとも約１／２以上を中空状とし、中空部分の開口端部に太鼓用皮革を鋲打ちによって張設した上、木製印材の他端には印面を形成したことを特徴とする印鑑。
【請求項２】
中実の木製印材をその一端から約１／２以上をくり抜いて中空状とし、良好な音質を得られるようにしたことを特徴とする請求項１記載の印鑑。
【考案の詳細な説明】
【技術分野】
【０００１】
この考案は、印面を備えるとともに、印面の反対側の端部に太鼓を配設した印鑑に関する。
【背景技術】
【０００２】
従来の一般的な印鑑に使用される印材としては、象牙や水牛等の天然素材、柘等の木材、水晶その他の石材、ラクトやセルロース系の樹脂等の化学素材、チタン等の金属で構成される材料が一般的である。
【０００３】
また、特開2000-301816公報（特許文献１参照）には、日付や時間等の情報を音声で案内することができる機能を設けた印判体が、また実開平05-070965号公報（特許文献２参照）には、スタンプを語彙や、発音の語学教材、玩具、広告効果を高める文具及び事務用品としても利用可能とした音声装置付きスタンプが、登録実用新案第3040193号公報（特許文献３参照）には、楽器のミニチュアを分割した状態とし、分割体のいずれかに印鑑の収納部および朱肉入れを形成した印章ケースがそれぞれ提案されている。
【特許文献１】特開2000-301816公報
【特許文献２】実開平05-070965号公報
【特許文献３】登録実用新案第3040193号公報
【考案の開示】
【考案が解決しようとする課題】
【０００４】
上述のように音声を発生することの可能な印鑑は存在するものの、従来、打楽器等を組み込んだ印鑑は存在しなかった。
【０００５】
そこで本考案の目的とするところは、印鑑の片面に太鼓を取り付けることにより印鑑を付加価値の高いものとすることができ、また太鼓を叩いて太鼓の音を出すことによっても楽しむことができるようにした新規の印鑑を提供することである。
【課題を解決するための手段】
【０００６】
上述した課題を解決するために本考案に係る印鑑は、木製印材をその一端から少なくとも約１／２以上を中空状とし、中空部分の開口端部に太鼓用皮革を鋲打ちによって張設した上、木製印材の他端には印面を形成したことを特徴とするものである。
【０００７】
本考案に係る印鑑は、中実の木製印材をその一端から約１／２以上をくり抜いて中空状とし、良好な音質を得られるようにしたことをも特徴とするものである。
【考案の効果】
【０００８】
本考案に係る印鑑によれば、印鑑の片面に太鼓を取り付けることにより印鑑を付加価値の高いものとすることができ、また太鼓を叩いて太鼓の音を出すことによっても楽しむことができる新規の印鑑を提供することが可能となった。
また、印鑑としても太鼓用皮革を張設するために使用した鋲によって指がかりがよく、非常に押しやすい印鑑を提供することができる。
【考案を実施するための最良の形態】
【０００９】
以下、図面に基づいて本考案に係る印鑑の実施の形態について詳細に説明する。
図１は、本考案に係る印鑑の斜視図、図２は太鼓面の説明図、図３は印面側の説明図、図４はその中央縦断面図である。
【００１０】
本考案に係る印鑑の１実施例を示す図１ないし図４において、印材１１は中実の木製素材、例えばケヤキ（欅）の原木を筒状や太鼓状等の所定の形状に加工して形成されている。もちろん、木製素材としてはケヤキ（欅）以外の太鼓用素材や、柘等の印材用素材も使用可能である。
【００１１】
前記印材１１は、長さ方向の一端から少なくとも約１／２以上を中空状とされており、該中空部分１２の開口端部１３には太鼓用皮革１４が鋲打ちによって張設されている。太鼓用皮革１４としては、通常の牛革や馬革でもよいが、吸湿によって伸びてしまわないので合成皮革が好適である。
【００１２】
また鋲１５は、前記中空部分１２の開口端部１３に一定の間隔で鋲打ちされているので、印材１１を手で持った際の指がかりが良好であり、太鼓面を持って捺印する操作を確実に行なうことができる。
図において１６は菊座、１７は菊座１６に取り付けた持手である。
【００１３】
木製素材からなる印材１１の他端には、通常の印面１８が種々の手段によって形成される。印麺を形成する方法としては、例えば彫刻刀による手彫りや機械彫り等が適用でき、またゴム印製造の光硬化樹脂を用いた彫刻方法等であってもよい。
【００１４】
本考案に係る印鑑は、中実の木製素材からなる印材１１をその一端から約１／２以上をくり抜いて中空状とし、該中空部分１２の開口端部１３に太鼓用皮革１４を鋲打ちによって張設するものとすれば、より一層良好な音質を得られるようになる。もちろん音質は、太鼓用皮革１４の厚さや張設した場合の緊張度、前記中空部分１２の深さや広さ等によって適宜調節することができる。
【００１５】
また、太鼓面２１の音質は、印鑑の印材１１の大きさによっても変わってくる。すなわち、大きければ大きいほど豊かな音量で音を出すことができ、また小さくなればなるほど高音が出るようになる。
逆に印鑑としては必要以上に大きくすることは無意味であり、認印や実印、会社印等に応じたサイズであることが望ましい。このような両方の要請を加味して、大きい太鼓面２１と通常サイズの印面１８との組み合わせ、すなわち、２段構造の印材としてもよい。
いずれにしても、印鑑としてのみならず太鼓としても利用することができ、実用性と趣味性を加味した印鑑を得ることができる。
【産業上の利用可能性】
【００１６】
本考案に係る印鑑によれば、印鑑としてのみならず太鼓としても利用することが可能であり、認印や実印、会社印、あるいは神社仏閣における入試や入社試験の合格祈願用、冠婚葬祭の記念用等として幅広く使用することができる。
【図面の簡単な説明】
【００１７】
【図１】本考案に係る印鑑の斜視図である。
【図２】太鼓面の説明図である。
【図３】印面側の説明図である。
【図４】その中央縦断面図である。
【符号の説明】
【００１８】
１１  印材
１２  中空部分
１３  開口端部
１４  太鼓用皮革
１５  鋲
１６  菊座
１７  持手
１８  印面
２１  太鼓面
【図１】
0003132122.tif 000003
【図２】
0003132122.tif 000004
【図３】
0003132122.tif 000005
【図４】
0003132122.tif 000006
【手続補正書】
【提出日】平成19年3月16日(2007.3.16)
【手続補正１】
【補正対象書類名】明細書
【補正対象項目名】００１３
【補正方法】変更
【補正の内容】
【００１３】
木製素材からなる印材１１の他端には、通常の印面１８が種々の手段によって形成される。印面を形成する方法としては、例えば彫刻刀による手彫りや機械彫り等が適用でき、またゴム印製造の光硬化樹脂を用いた彫刻方法等であってもよい。